(57)【要約】【課題】外気を簡単に部屋に採り込むことがきるとともに、部屋の換気を行える採風機能付き建物を提供する。【解決手段】第１外壁３ａを支持する基礎３０に風を採り入れる採風部３１が設けられ、第１外壁３ａの内側の部屋９の床に吹出部３２が採風部３１と隣接して設けられ、採風部３１と吹出部３２とは床下に設けられた通風路３３によって連通しており、第１外壁３ｂと対向して設けられた第２外壁４に、前記吹出部３３から吹き出した風を外部に放出する放出部３４が設けられているので、吹出部３２から吹き出された風は、その速度があまり減速されず、部屋９に行き渡り、第２外壁４に形成された放出部３４から放出される。  したがって、外気を簡単に部屋９に採り込むことがきるとともに、部屋９の換気を容易に行える。【選択図】図１
2010007331.tif 000002
【特許請求の範囲】
【請求項１】
第１外壁を支持する基礎に風を採り入れる採風部が設けられ、
前記第１外壁の内側の部屋の床に吹出部が前記採風部と隣接して設けられ、
前記採風部と吹出部とは床下に設けられた通風路によって連通しており、
前記第１外壁と対向して設けられた第２外壁に、前記吹出部から吹き出した風を外部に放出する放出部が設けられていることを特徴とする採風機能付き建物。
【請求項２】
請求項１に記載の採風機能付き建物において、
前記吹出部は、すのこ床と、このすのこ床に設けられた防虫網とを備えていることを特徴とする採風機能付き建物。
【請求項３】
請求項１または２に記載の採風機能付き建物において、
前記第２外壁側に中間床が該第２外壁に当接して設けられており、この中間床の下方は天井高が０．９〜１．４ｍの収納空間となっており、前記中間床上の部屋の上方空間と、前記第１外壁側に位置する部屋の上方空間とが連通していることを特徴とする採風機能付き建物。
【請求項４】
請求項３に記載の採風機能付き建物において、
天井が、前記第１外壁側から内側に向けて斜め上方に傾斜する第１傾斜天井と、前記第２外壁側から内側に向けて斜め上方に傾斜して第２傾斜天井とから構成されており、
前記中間床の縁部には、腰壁が前記第１外壁および第２外壁と平行に設けられており、
前記腰壁は前記第１傾斜天井と第２傾斜天井との交差部の直下に配置されていることを特徴とする採風機能付き建物。
【請求項５】
請求項４に記載の採風機能付き建物において、
屋根には、天窓が前記第２傾斜天井まで貫通し、かつ、前記中間床上の部屋に開口するようにして設けられていることを特徴とする採風機能付き建物。
【発明の詳細な説明】
【技術分野】
【０００１】
本発明は、採風機能付き建物に関する。
【背景技術】
【０００２】
床下に外気を採り入れ、この外気を床に形成した開口から部屋に流入させる換気機能を備えた建物の一例として、特許文献１に記載のものが知られている。
この建物では、基礎に、建築物の床下空間に外気を導入する給気口を設け、床に、床下空間と部屋とを連通する床面開口を設け、外壁に部屋の空気を建築物の外部に排出する排気口を設けている。
前記給気口には給気ダクトが接続され、この給気ダクトには送風ファンが設けられ、この送風ファンによって、外気を床面開口に向けて送風している。
【特許文献１】特開２００３−１８５２０７号公報
【発明の開示】
【発明が解決しようとする課題】
【０００３】
しかしながら、上述した建物では、給気口と床面開口とが離れているため、給気口に給気ダクトを接続するとともに、この給気ダクトに送風ファンを設ける必要がある。
このため、給気ダクトや送風ファンの施工に手間がかかるとともに、このような給気ダクトや送風ファンなしでは、給気口から流入した外部の涼しい風を直接部屋内に採り入れることはできなかった。
【０００４】
本発明は上記事情に鑑みてなされたもので、外気を簡単に部屋に採り込むことがきるとともに、部屋の換気を行える採風機能付き建物を提供することを課題としている。
【課題を解決するための手段】
【０００５】
上記課題を解決するために、請求項１に記載の発明は、例えば図１〜図４に示すように第１外壁３ａ，３ｂを支持する基礎３０，４０に風を採り入れる採風部３１，４１が設けられ、
前記第１外壁３ａ，３ｂの内側の部屋９，５の床に吹出部３２，４２が前記採風部３１，４１と隣接して設けられ、
前記採風部３１，４１と吹出部３２，４２とは床下に設けられた通風路３３，４３によって連通しており、
前記第１外壁３ａ，３ｂと対向して設けられた第２外壁４に、前記吹出部３３，４３から吹き出した風を外部に放出する放出部３４，４４が設けられていることを特徴とする。
【０００６】
ここで、放出部３３，４４としては、第２外壁４に設けられた窓、出入口、換気口等が挙げられる。
【０００７】
請求項１に記載の発明によれば、基礎３０，４０に採風部３１，４１が設けられているので、この採風部３１，４１から外部の涼しい風（外気）を採り込むことができ、この採り込まれた風は、床下全体に行き渡ることなく、通風路３３，４３を通って直ぐに吹出部３２，４２から部屋９，５内に吹き出される。吹出部３２，４２は採風部３１，４１に第１外壁３ａ，３ｂを境に隣接して設けられているので、吹出部３２，４２から吹き出された風は、その速度があまり減速されず、部屋９，５に行き渡り、第２外壁４に形成された放出部３４，４４から放出される。
したがって、外気を簡単に部屋９，５に採り込むことがきるとともに、部屋９，５の換気を容易に行える。
【０００８】
請求項２に記載の発明は、請求項１に記載の採風機能付き建物において、
前記吹出部３２，４２は、すのこ床３２ａ，４２ａと、このすのこ床３２ａ，４２ａに設けられた防虫網３２ｂ，４２ｂとを備えていることを特徴とする。
【０００９】
防虫網３２ｂ，４２ｂはすこの床３２ａ，４２ａの下面全体に取り付けるのが望ましい。
【００１０】
請求項２に記載の発明によれば、吹出部３２，４２がすのこ床３２ａ，４２ａを備えているので、風を吹き出させる吹出部３２，４２の施工が容易であるとともに、吹出部３２，４２も床となるので、床面積を狭めることもない。また、防虫網３２ｂ，４２ｂを備えているので、部屋に風とともに虫が侵入することもない。
【００１１】
請求項３に記載の発明は、例えば図２〜図４に示すように、請求項１または２に記載の採風機能付き建物において、
前記第２外壁４側に中間床１５が該第２外壁４に当接して設けられており、この中間床１５の下方は天井高が０．９〜１．４ｍの収納空間１６となっており、前記中間床１５上の部屋２０の上方空間と、前記第１外壁３ｂ側に位置する部屋５の上方空間とが連通していることを特徴とする。
【００１２】
請求項３に記載の発明によれば、吹出部４２から吹き出された風は、部屋５を流れた上で、中間床１５の下方の収納空間１６と、上方の部屋２０とに分かれて流れる。したがって、中間床１５下方の収納空間１６の換気と中間床１５上方の部屋２０の換気の双方を同時に行える。
【００１３】
請求項４に記載の発明は、例えば図２に示すように、請求項３に記載の採風機能付き建物において、
天井が、前記第１外壁３ｂ側から内側に向けて斜め上方に傾斜する第１傾斜天井２４と、前記第２外壁４側から内側に向けて斜め上方に傾斜して第２傾斜天井２５とから構成されており、
前記中間床１５の縁部には、腰壁２６が前記第１外壁３ｂおよび第２外壁４と平行に設けられており、
前記腰壁２６は前記第１傾斜天井２４と第２傾斜天井２５との交差部の直下に配置されていることを特徴とする。
【００１４】
請求項４に記載の発明によれば、中間床１５の縁部に腰壁２６が第１外壁３ｂおよび第２外壁４と平行に設けられているが、この腰壁２６は第１傾斜天井２４と第２傾斜天井２５との交差部の直下に配置されているので、腰壁２６が第１傾斜天井２４または第２傾斜天井２５の下方に位置する場合に比して、腰壁２６の上方は高さが高い空間となる。したがって、中間床１５の上方の部屋２０に吹出部４２から吹き出された風をスムーズに流すことができる。
【００１５】
請求項５に記載の発明は、例えば図２に示すように、請求項４に記載の採風機能付き建物において、
屋根２には、天窓２８が前記第２傾斜天井２５まで貫通し、かつ、前記中間床１５上の部屋２０に開口するようにして設けられていることを特徴とする。
【００１６】
請求項５に記載の発明によれば、屋根２に天窓２８が第２傾斜天井２５まで貫通し、かつ、中間床１５上の部屋２０に開口するようにして設けられているので、この天窓３７からも吹出部３２から吹き出された風を排出することができ、効率的に換気を行える。
【発明の効果】
【００１７】
本発明によれば、第１外壁を支持する基礎に風を採り入れる採風部が設けられ、第１外壁の内側の部屋の床に吹出部が前記採風部と隣接して設けられ、採風部と吹出部とは床下に設けられた通風路によって連通しており、前記第１外壁と対向して設けられた第２外壁に、吹出部から吹き出した風を外部に放出する放出部が設けられているので、採風部から外部の涼しい風（外気）を採り込むことができ、この採り込まれた風は、床下全体に行き渡ることなく、通風路を通って直ぐに吹出部から部屋内に吹き出される。吹出部から吹き出された風は、その速度があまり減速されず、部屋に行き渡り、第２外壁に形成された放出部から放出される。
したがって、外気を簡単に部屋に採り込むことがきるとともに、部屋の換気を容易に行える。
【発明を実施するための最良の形態】
【００１８】
以下図面を参照して本発明の実施の形態について説明する。
図１は本発明に係る採風機能付き建物の一例を示すもので、寝室を含む縦断面図、図２は居間を含む縦断面図、図３は中間床の下方を含む平断面図、図４は中間床の上方を含む平断面図である。
本実施の形態の採風機能付き建物１は平屋建物であり、切妻屋根２を有している。図１に示すように、切妻屋根２の一方の軒先部２ａは第１外壁３ａによって支持されており、他方の軒先部２ｂは第１外壁３に対向して平行に設けられた第２外壁４によって支持されている。また、切妻屋根２の棟と軒先部２ａとの間の距離は、切妻屋根２の棟と軒先部２ｂとの間の距離より長くなっている。
また、図２に示すように、切妻屋根２の一方の軒先部２ａは第１外壁３ｂによって支持されている。第１外壁３ｂは前記第１外壁３ａより奥側に位置している。したがって、第１外壁３ａによって軒先部２ａの先端部が支持され、第１外壁３ｂによって軒先部２ａの基端部が支持されている。
【００１９】
図２に示すように、第１外壁３ｂの内側には、部屋５が設けられている。この部屋５は居間として使用されるものである。また、第１外壁３ｂにはテラス窓３ｃが設けられており、このテラス窓３ｃの外側にはデッキが設けられている。
部屋５の東側には図２および図３に示すように、台所６が設けられ、この台所６の北側に玄関７が設けられている。
また、部屋５の西側には寝室８が設けられ、この寝室８の南側にはマルチスペース９が設けられている。マルチスペース９は、簡単な作業等を行う部屋９であり、寝室８と簡単な引戸１０ａによって仕切られ、トイレ１１前のスペースと引戸１０ｂによって仕切られている。また、寝室８の北側にはトイレ１１、洗面室１２、浴室１３が設けられている。
部屋９、寝室８、洗面室１２は引戸１０ａ、引戸１０ｂを開放することによって、連通した空間となり、洗面室１２に面する前記第２外壁４には、窓１２ａが設けられている。
【００２０】
また、部屋５の南側には、図２に示すように、中間床１５が設けられている。この中間床は第２外壁４に当接して設けられている。中間床１５は、その幅（東西方向の幅）が、部屋５の幅とほぼ等しくなっており、第２外壁４とこの第２外壁４の直角に設けられた平行な２つの内壁と、この２つの内壁間に設けられた内壁とによって支持されている。
中間床１５の下方は、天井高が０．９〜１．４ｍ程度の収納空間１６となっている。収納空間１６を形成する内壁には、収納空間１６への出入口１６ａが形成されており、この出入口１６ａは、図示しない開閉部材によって開閉されるようになっている。開閉部材は引戸でもよいが、例えば、左右に移動可能で、収納空間１６側に配置された収納家具によって構成することもできる。なお、この収納家具は、部屋５側または収納空間１６側に向く収納部を有している。
また、収納空間１６の、第２外壁４と面する部分は土間１７となっており、この土間１７には、玄関７の玄関土間７ａに面して設けられた出入口１６ｂから出入りできるようになっている。なお、土間１７の床面と玄関土間７ａの床面とは面一になっている。
さらに、前記第２外壁４には、横長の窓１８，１８が設けられている。この窓１８，１８は上縁部を軸として外側に開く突き出し窓である。また、窓１８，１８の左右の幅は、前記出入口１６ａの左右の幅とほぼ等しくなっている。
【００２１】
前記中間床１５上の部屋２０は書斎や簡単な作業が行えるマルチスペースとなっており、この部屋２０の上方空間と第１外壁側３ｂに位置する部屋５の上方空間とが連通している。
中間床１５の西側には、図４に示すように、踊り場２１が設けられており、この踊り場２１の床と部屋５の床との間に階段２２が設けられている。そして、踊り場２１に面して中間床１５の部屋２０に出入りするための開口部２３が設けられている。なお、踊り場２１の床面と中間床１５の床面とは面一になっている。
【００２２】
図２に示すように、前記部屋５の上方の天井は、第１外壁３ｂ側から内側に斜め上方に傾斜する第１傾斜天井２４となっており、中間床１５上の部屋２０の上方の天井は、第２外壁４側から内側に斜め上方に傾斜する第２傾斜天井２５となっている。第１傾斜天井２４と第２傾斜天井２５との交差部は、切妻屋根２の棟より第２外壁４側に寄っている。また、第１傾斜天井２４と第２傾斜天井２５とによって切妻屋根２の天井が構成されている。
また、前記中間床１５の、前記部屋５側に面する縁部には、腰壁２６が第１外壁３ｂおよび第２外壁４と平行に設けられており、この腰壁２６は、前記第１傾斜天井２４と第２傾斜天井２５との交差部の直下に配置されている。また、腰壁２６の一方の端部には、図４に示すように、袖壁２７が接続されており、この袖壁２７の外側に前記階段２２が設けられている。なお、腰壁２６と袖壁２７の高さは等しくなっている。
また、切妻屋根２には、天窓２８が第２傾斜天井２５まで貫通し、かつ、中間床１５上の部屋２０に開口するようにして設けられている。天窓２８は開閉可能となっている。
【００２３】
図１に示すように、第１外壁３ａを支持する基礎３０には、風を採り入れる採風部３１が設けられている。この採風部３１は基礎３０に形成された横長矩形状の孔であり、この孔の幅は前記第１外壁３ａの幅より若干小さくなっている。
また、第１外壁３ａの内側の部屋９の床には、吹出部３２が採風部３１と隣接して設けられている。吹出部３２は、すのこ床３２ａと、このすのこ床３２ａの下面に設けられた防虫網３２ｂとを備えている。すのこ床は、帯板状の床材を所定の隙間をあけて複数平行に配置して形成されたものである。したがって、この隙間から風が吹き出すようになっている。
【００２４】
前記採風部３１と吹出部３２とは床下に設けられた通風路３３によって連通している。
通風路３３は採風部３１と同幅に形成されており、床下空間に対して仕切られている。
例えば、通風路３３は、前記すのこ床３２ａの下方の基礎をべた基礎状とし、この基礎の上面を切り欠くかあるいはべた基礎状の基礎を構築する際に、形枠を設置して通風路３３を形成してもよい。通風路３３の上面は上方に開口しており、側面は前記採風部３１として開口している。また、通風路３３の下面は採風部３１から遠ざかるにしたがって上方に傾斜する傾斜面となっている。
また、通風路３３は、床下空間に軸や板材を用いてダクト状に形成してもよいし、金属板等によってダクト状に形成してもよい。
【００２５】
また、前記第２外壁４には、吹出部３２から吹き出した風を外部に放出する放出部３４が設けられている。この放出部３４は、前記洗面室１２において第２外壁４に設けられた窓１２ａによって構成されている。
【００２６】
また、図２に示すように、第１外壁３ｂを支持する基礎４０には、風を採り入れる採風部４１が設けられている。この採風部４１は基礎４０に形成された横長矩形状の孔であり、この孔の幅は前記第１外壁３ｂの幅より若干小さくなっている。
また、第１外壁３ｂの内側の部屋５の床には、吹出部４２が採風部４１と隣接して設けられている。吹出部４２は、すのこ床４２ａと、このすのこ床４２ａの下面に設けられた防虫網４２ｂとを備えている。すのこ床は、帯板状の床材を所定の隙間をあけて複数平行に配置して形成されたものである。
【００２７】
前記採風部４１と吹出部４２とは床下に設けられた通風路４３によって連通している。
通風路４３は採風部４１と同幅に形成されており、床下空間に対して仕切られている。例えば、通風路４３は、前記すのこ床４２ａの下方の基礎をべた基礎状とし、この基礎の上面を切り欠くかあるいはべた基礎状の基礎を構築する際に、形枠を設置して通風路４３を形成してもよい。通風路４３の上面は上方に開口しており、側面は前記採風部４１として開口している。また、通風路４３の下面は採風部４１から遠ざかるにしたがって上方に傾斜する傾斜面となっている。
また、通風路４３は、床下空間に軸や板材を用いてダクト状に形成してもよいし、金属板等によってダクト状に形成してもよい。
【００２８】
また、前記第２外壁４には、吹出部４２から吹き出した風を外部に放出する放出部４４が設けられている。この放出部４４は、前記収納空間１６において第２外壁４に設けられた窓１８および中間床１５上の部屋２０において第２外壁４に設けられた窓３５，３６によって構成されている。
【００２９】
本実施の形態によれば、基礎３０，４０に採風部３１，４１が設けられているので、例えば、夏季の夜などに、採風部３１，４１から外部の涼しい風（外気）を採り込むことができ、この採り込まれた風は、床下全体に行き渡ることなく、通風路３３，３４を通って直ぐに吹出部３２，４２から部屋９，５内に吹き出される。吹出部３２，４２は採風部３，４１に隣接して設けられているので、吹出部３２，４２から吹き出された風は、その速度があまり減速されず、部屋９，５に行き渡り、第２外壁４に形成された放出部３４，４４から放出される。
したがって、外気を簡単に部屋９，５に採り込むことがきるとともに、部屋９，１０、浴室１２、部屋５、２０、収納空間１６の換気を容易に行える。
また、通風路３３，４３の下面は採風部３１，４１から遠ざかるにしたがって上方に傾斜する傾斜面となっているので、採風部３１，４１から流入した風は傾斜面に沿って斜め上方に流れる。したがって、風が吹出部３２，４２から確実に吹き出される。
【００３０】
また、吹出部４２から吹き出された風は、部屋５を流れた上で、中間床１５の下方の収納空間１６と、上方の部屋２０とに分かれて流れる。したがって、中間床１５の下方の収納空間１６の換気と中間床１５の上方の部屋２０の換気の双方を同時に行える。
さらに、中間床１５の縁部に腰壁２６が第１外壁３ｂおよび第２外壁４と平行に設けられているが、この腰壁２６は第１傾斜天井２４と第２傾斜天井２５との交差部の直下に配置されているので、腰壁２６が第１傾斜天井２４または第２傾斜天井２５の下方に位置する場合に比して、腰壁２６の上方は高さが高い空間となる。したがって、中間床１５の上方の部屋２０に吹出部４２から吹き出された風をスムーズに流すことができる。
また、切妻屋根２に天窓２８が第２傾斜天井２５まで貫通し、かつ、中間床１５上の部屋２０に開口するようにして設けられているので、この天窓２８からも吹出部４２から吹き出された風を排出することができ、効率的に換気を行える。
【００３１】
なお、本実施の形態では、本発明を平屋住宅に適用した場合を例にとって説明したが、本発明は、２階建ての建物にも適用することができる。
【図面の簡単な説明】
【００３２】
【図１】本発明に係る採風機能付き建物の一例を示すもので、寝室を含む縦断面図である。
【図２】同、居間を含む縦断面図である。
【図３】同、中間床の下方を含む平断面図である。
【図４】同、中間床の上方を含む平断面図である。
【符号の説明】
【００３３】
１  採風機能付き建物
２  切妻屋根（屋根）
３ａ，３ｂ  第１外壁
４  第２外壁
５，９  部屋
１５  中間床
１６  収納空間
２０  部屋
２４  第１傾斜天井（天井）
２５  第２傾斜天井（天井）
２６  腰壁
２８  天窓
３１，４１  採風部
３２，４２  吹出部
３２ａ，４２ａ  すのこ床
３２ｂ，４２ｂ  防虫網
３３，４３  通風路
３４，４４  放出部
【図１】
2010007331.tif 000003
【図２】
2010007331.tif 000004
【図３】
2010007331.tif 000005
【図４】
2010007331.tif 000006